(57)【要約】【課題】使用者が酸素濃縮気体を供給されている際に音楽等を聞いている場合などでも、酸素濃縮装置に関する報知を好適に認識できる酸素濃縮装置を提供すること。【解決手段】酸素濃縮装置１の異常等の装置情報を、例えばアラーム音や音声等の音として外部に出力して患者等に報知する場合には、音楽再生装置４７から供給されている音楽等の音の出力を抑制し（例えば音の出力を中止し）、その状態にて、必要な報知を行う。そのため、患者等は、酸素濃縮装置１の異常等の装置情報を、音の抑制をしない場合に比べて容易に認識することができる。よって、患者等は、異常等の報知内容に対して、十分な対応を取ることができる。【選択図】図３
2018175714.tif 000002
【特許請求の範囲】
【請求項１】
空気中より酸素を濃縮して酸素濃縮気体を生成する、可搬型又は携帯型の酸素濃縮装置において、
外部に音を出力するための第１の音信号を供給可能な音供給部と、
前記酸素濃縮装置の動作及び／又は操作に関する装置情報を、外部に音を出力するための第２の音信号として供給可能な情報供給部と、
を備え、
前記装置情報を、音として外部に出力する場合には、前記音供給部から供給される前記第１の音信号に基づいた音の出力を抑制することを特徴とする酸素濃縮装置。
【請求項２】
前記音供給部は、前記酸素濃縮装置に配置された、音楽再生装置、ラジオ、インターネットを介した通信が可能な通信端末のうち、少なくとも１種であることを特徴とする請求項１に記載の酸素濃縮装置。
【請求項３】
前記酸素濃縮装置は、ヘッドフォン又はイヤフォンが接続される端子部を備え、該端子部を介して、前記第１の音信号及び第２の音信号を、前記ヘッドフォン又はイヤフォンに送信することを特徴とする請求項１又は２に記載の酸素濃縮装置。
【請求項４】
空気中より酸素を濃縮して酸素濃縮気体を生成する、可搬型又は携帯型の酸素濃縮装置において、
有線又は無線にて、スマートフォン又は音楽再生装置の外部装置と接続可能な接続部と、
前記酸素濃縮装置の動作及び／又は操作に関する装置情報を、前記接続部を介して前記外部装置に送信可能な情報供給部と、
を備え、
前記装置情報を、前記外部装置に送信し、該外部装置を駆動して音として外部に出力する場合には、該外部装置自身から音の出力及び／又は外部装置自身の振動を抑制することを特徴とする酸素濃縮装置。
【請求項５】
前記装置情報とは、前記酸素濃縮装置の異常に関する情報、前記酸素濃縮装置の動作状態に関する情報、前記酸素濃縮装置の操作状態に関する情報のうち、少なくとも１種であることを特徴とする請求項１〜４のいずれか１項に記載の酸素濃縮装置。
【請求項６】
前記装置情報とは、酸素濃縮装置の使用者に対する警告又はアドバイスであることを特徴とする請求項１〜５のいずれか１項に記載の酸素濃縮装置。
【請求項７】
前記音の出力を抑制する場合には、前記装置情報を示す音以外の音の出力を停止又は音量を低減することを特徴とする請求項１〜６のいずれか１項に記載の酸素濃縮装置。
【請求項８】
前記装置情報を、音によって報知する場合には、アラーム音及び音声のうち少なくとも１種によって報知することを特徴とする請求項１〜７のいずれか１項に記載の酸素濃縮装置。
【請求項９】
前記装置情報は、車両の運転中に前記酸素濃縮装置が操作されたことに関する情報であることを特徴とする請求項１〜８のいずれか１項に記載の酸素濃縮装置。
【請求項１０】
前記車両の運転中に前記酸素濃縮装置が操作された場合には、当該操作を無効にすることを特徴とする請求項９に記載の酸素濃縮装置。
【発明の詳細な説明】
【技術分野】
【０００１】
本発明は、例えば患者等の使用者が、搬送や携帯が可能な可搬型又は携帯型の酸素濃縮装置に関するものである。
【背景技術】
【０００２】
従来より、例えば慢性閉塞性肺疾患（ＣＯＰＤ）等の患者に高濃度の酸素を供給する装置として、例えば空気中から窒素を吸着除去した酸素濃縮気体を供給する医療用の酸素濃縮装置や、酸素ガスを充填した酸素ボンベが知られている。
【０００３】
このうち、酸素濃縮装置は、長時間にわたり酸素濃縮気体を供給できるので、例えば家庭などで長期間にわたり療養する患者に使用されている。
また、家庭等で使用される設置型の酸素濃縮装置とは別に、屋外で酸素濃縮気体を供給する装置として、肩掛け等が可能な軽量な携帯型の酸素濃縮装置や、歩行時等に車輪によって容易に移動させることができる可搬型の酸素濃縮装置が知られている。
【０００４】
このような携帯型や可搬型の酸素濃縮装置（即ち小型の装置）は、酸素濃縮気体を有効に使用するために、通常、患者の呼吸に合わせて酸素濃縮気体を供給する機能（いわゆる呼吸同調機能）を備えている。
【０００５】
さらに、近年では、患者に酸素濃縮気体を供給するだけでなく、患者をリラックスさせるために、患者がリクライニングチェア、寝台、座椅子などを使用している際に、酸素濃縮気体を供給するとともに、音楽を流す技術も提案されている（特許文献１、２参照）。
【先行技術文献】
【特許文献】
【０００６】
【特許文献１】特開２００５−１１８０６０号公報
【特許文献２】特開平１０−３１０４０４号公報
【発明の概要】
【発明が解決しようとする課題】
【０００７】
ところで、例えば屋外などで、患者が酸素濃縮装置を使用しながら、ヘッドフォン等で音楽プレーヤやラジオから音楽等を聞くことが考えられる。
しかしながら、このような状況で、例えば酸素濃縮装置に何らの異常が発生した場合に、酸素濃縮装置からアラーム音を鳴らしても、患者にはアラーム音が聞こえない恐れがある。
【０００８】
つまり、患者は、酸素濃縮気体が供給されている際に、ヘッドフォン等で音楽等を聞いているので、酸素濃縮装置に何らの異常が発生して、酸素濃縮装置からアラーム音等によって異常が報知された場合でも、その異常の報知に気づかない恐れがある。そのため、患者は酸素濃縮装置の異常に対して十分な対応が取れない恐れがある。
【０００９】
本発明は、前記課題を解決するためになされたものであり、その目的は、患者等の使用者が、酸素濃縮気体を供給されている際に音楽等を聞いている場合でも、酸素濃縮装置に関する報知を好適に認識できる酸素濃縮装置を提供することである。
【課題を解決するための手段】
【００１０】
（１）本発明の第１局面は、空気中より酸素を濃縮して酸素濃縮気体を生成する、可搬型又は携帯型の酸素濃縮装置に関するものである。
この酸素濃縮装置は、外部に音を出力するための第１の音信号を供給可能な音供給部と、酸素濃縮装置の動作及び／又は操作に関する装置情報を、外部に音を出力するための第２の音信号として供給可能な情報供給部と、を備えている。
【００１１】
そして、第２の音信号として供給される前記装置情報を、音として外部に出力する場合には、音供給部から供給される第１の音信号に基づいた音の出力を抑制する。
このように、本第１局面では、酸素濃縮装置の異常等の装置情報を、例えばアラーム音や音声等の音として外部に出力して患者等に報知する場合には、音供給部から供給されている音楽等の音の出力を抑制する（例えば音の出力を中止する）。従って、音楽等の音の出力が抑制された状態で、必要な装置情報を報知することができる。
【００１２】
そのため、患者等は、酸素濃縮装置の異常等の装置情報を、音の抑制をしない場合に比べて容易に認識することができる。よって、患者等は、異常等の報知内容に対して、十分な対応を取ることができる。
【００１３】
なお、第１の音信号や第２の音信号とは、音楽、音声、信号音等の音を、スピーカやヘッドフォン又はイヤフォン等を介して外部に出力させるための電気的な信号である。
ここで、可搬型とは、屋外等にて人が使用しながら搬送可能な例えば１０ｋｇ以下の重量の酸素濃縮装置を示しており、携帯型とは、屋外等にて人が使用しながら携帯可能な例えば３ｋｇ以下の重量の酸素濃縮装置を示している（以下同様）。
【００１４】
（２）本発明の第２局面では、音供給部は、酸素濃縮装置に配置された、音楽再生装置、ラジオ、インターネットを介した通信が可能な通信端末のうち、少なくとも１種である。
【００１５】
本第２局面は、好適な音供給部を例示している。これらの音楽再生装置、ラジオ、通信端末のいずれかは、例えば音楽再生装置の記憶装置内に記憶された音楽ファイル等に基づいて音楽等を再生して出力することができる。または、リアルタイムで、外部（放送局や外部の通信装置）から受信した音楽等を患者等に供給することができる。
【００１６】
なお、これらの音供給部は、例えば酸素濃縮装置に設けられた例えばタッチパネル等の操作部や、リモコン等によって操作可能である。なお、音楽再生装置としては、周知のデジタル音楽プレーヤやＣＤ再生装置などが挙げられる。
【００１７】
（３）本発明の第３局面では、酸素濃縮装置は、ヘッドフォン又はイヤフォンが接続される端子部を備え、その端子部を介して、第１の音信号及び第２の音信号を、ヘッドフォン又はイヤフォンに送信する。
【００１８】
本第３局面では、酸素濃縮装置に、ヘッドフォンやイヤフォンが接続される接続端子である接続部が設けられている。従って、患者は、接続部に接続されたヘッドフォンやイヤフォンから、第１の音信号及び第２の音信号に対応した音楽や音声や信号音等の音を聞くことができる。
【００１９】
（４）本発明の第４局面は、空気中より酸素を濃縮して酸素濃縮気体を生成する、可搬型又は携帯型の酸素濃縮装置に関するものである。
この酸素濃縮装置は、有線又は無線にて、スマートフォン又は音楽再生装置の外部装置と接続可能な接続部と、酸素濃縮装置の動作及び／又は操作に関する装置情報を、接続部を介して外部装置に送信可能な情報供給部と、を備えている。
【００２０】
そして、前記装置情報を、外部装置に送信し、その外部装置を駆動して音として外部に出力する場合には、外部装置自身からの音の出力及び／又は外部装置自身の振動を抑制する。
【００２１】
このように、本第４局面では、酸素濃縮装置の異常等の装置情報を、外部装置を用いて、例えばアラーム音や音声等の音として外部に出力して患者等に報知する場合には、外部装置からの音楽等の音の出力を抑制する（例えば音の出力を中止する）。または、外部装置が振動によって何らかの報知を行っている場合には、その振動を抑制する（例えば振動を中止する）。従って、音楽等の音や振動が抑制された状態で、必要な装置情報を報知することができる。
【００２２】
そのため、患者等は、酸素濃縮装置の異常等の装置情報を、音や振動の抑制をしない場合に比べて容易に認識することができる。よって、患者等は、異常等の報知内容に対して、十分な対応を取ることができる。
【００２３】
（５）本発明の第５局面では、装置情報とは、酸素濃縮装置の異常に関する情報、酸素濃縮装置の動作状態に関する情報、酸素濃縮装置の操作状態に関する情報のうち、少なくとも１種である。
【００２４】
本第５局面は、装置情報を例示している。
ここで、酸素濃縮装置の異常に関する情報としては、例えば、酸素濃縮気体における酸素濃度の異常や圧力の異常、バッテリの異常（電圧等の異常）、酸素濃縮装置の温度の異常が挙げられる。
【００２５】
また、酸素濃縮装置の動作状態に関する情報としては、例えば、酸素濃縮気体の流量、稼働時間などの情報が挙げられる。
さらに、酸素濃縮装置の操作状態に関する情報としては、例えば、表示装置のタッチパネルや各種のスイッチ等が操作された場合に、操作されたこと自体を（信号音等で）報知する情報や、どのようなタッチパネルのボタンやスイッチが操作されたことを（音声等で）報知する情報が挙げられる。
【００２６】
（６）本発明の第６局面では、装置情報とは、酸素濃縮装置の使用者に対する警告又はアドバイスである。
本第６局面は、装置情報を例示している。
【００２７】
ここで、警告としては、例えば、圧力センサによって検出された呼吸数が異常であることを報知する警告や、適切でない操作がされたことを報知する警告が挙げられる。
また、アドバイスとしては、例えば、上述した異常の報知や前記警告に対して、どのような対応が可能かや、どのような対応が好ましいかを知らせるアドバイスが挙げられる。
【００２８】
（７）本発明の第７局面では、音の出力を抑制する場合には、装置情報を示す音以外の音の出力を停止又は音量を低減する。
本第７局面では、音の出力を抑制する場合には、装置情報を示す音以外の音の出力を停止又は音量を低減するので、患者等は、酸素濃縮装置の異常等のような必要な情報を確実に認識することができる。
【００２９】
（８）本発明の第８局面では、装置情報を、音によって報知する場合には、アラーム音及び音声のうち少なくとも１種によって報知する。
本発明の第８局面は、装置情報を報知する好適な方法を例示している。
【００３０】
（９）本発明の第９局面では、装置情報は、車両の運転中に酸素濃縮装置が操作されたことに関する情報である。
本第９局面は、装置情報を例示している。車両の運転中に酸素濃縮装置が操作された場合には、その旨を報知するので、運転の安全性が向上する。
【００３１】
（１０）本発明の第１０局面では、車両の運転中に酸素濃縮装置が操作された場合には、その操作を無効にする。
本第１０局面では、車両の運転中に酸素濃縮装置が操作された場合には、その操作を無効にするので、結果として、酸素濃縮装置の操作がされなくなり、運転の安全性が向上する。
【図面の簡単な説明】
【００３２】
【図１】第１実施形態の酸素濃縮装置の基本構成を示す説明図である。
【図２】第１実施形態の酸素濃縮装置の電気的構成を示すブロック図である。
【図３】第１実施形態の酸素濃縮装置の電子制御装置による制御処理を示すフローチャートである。
【図４】第２実施形態の酸素濃縮装置の電気的構成を示すブロック図である。
【図５】第２実施形態の酸素濃縮装置の電子制御装置による制御処理を示すフローチャートである。
【発明を実施するための形態】
【００３３】
以下、本発明の酸素濃縮装置の実施形態を、図面を参照して説明する。
［１．第１実施形態］
本第１実施形態の酸素濃縮装置は、重量が例えば１０ｋｇ以下の可搬型の酸素濃縮装置である。なお、本第１実施形態は、重量が例えば３ｋｇ以下の携帯型の酸素濃縮装置にも適用できる。
【００３４】
この酸素濃縮装置は、空気中から窒素を吸着して除去することにより、酸素を濃縮し、使用者である例えば患者に対して、所定の連続流量（第１流量；例えば毎分２Ｌ）の酸素濃縮気体を連続することができる。また、必要に応じて呼吸同調に切り換えることにより、患者の吸気期間のみに、所定の流量（第２流量；連続流量換算で例えば毎分６Ｌ）の酸素濃縮気体を供給できる。なお、常に呼吸同調によって酸素濃縮気体を供給してもよい。
［１−１．酸素濃縮装置の全体構成］
ａ）まず、酸素濃縮装置の基本構成について説明する。
【００３５】
図１に示す様に、本第１実施形態の酸素濃縮装置１は、本体ケース３に収容されており、その空気の導入路５は、上流側より、空気取入口７、空気を圧縮するコンプレッサ９、流路を開閉する４個の第１〜第４電磁弁１１ａ、１１ｂ、１１ｃ、１１ｄ（１１と総称する）、一対の吸着筒１３ａ、１３ｂ（１３と総称する）などが設けられている。
【００３６】
なお、一対の吸着筒１３から窒素を外部に排気する排気路１５には、排気口１７が設けられている。
また、一対の吸着筒１３から、酸素濃縮気体を供給する供給路１９の構成として、その上流側から、一対の吸着筒１３間の流路２１を開閉する第５電磁弁２３、吸着筒１３側への逆流を防止する一対の逆止弁２５ａ、２５ｂ、酸素濃縮気体を溜める製品タンク２７、酸素濃縮気体の圧力を調節するレギュレータ２９、供給する酸素濃縮気体の流量を調節する流量設定器３１、流路を開閉する第６電磁弁３３、酸素濃縮気体が供給される酸素出口３５等が設けられている。
【００３７】
さらに、流量設定器３１と第６電磁弁３３との間には、酸素濃縮気体の酸素濃度を検出する酸素センサ３７が配置され、第６電磁弁３３と酸素出口３５との間には、酸素出口３５における酸素濃縮気体の圧力（従って吸気の際の圧力）を検出する圧力センサ３９が配置されている。なお、酸素出口３５には、カニューラ（鼻カニューラ）４１が接続される。
【００３８】
また、酸素濃縮装置１には、タッチパネルを兼ねる表示装置（ディスプレイ）４３、酸素濃縮装置１の動作を制御する電子制御装置４５、患者に音楽等を供給する音楽再生装置（音楽プレーヤ）４７、酸素濃縮装置１に電力を供給するバッテリ４９などが設けられている。
【００３９】
ｂ）次に、上述した各構成について、更に詳細に説明する。
前記第１〜第４電磁弁１１は、電子制御装置４５により制御されて駆動する開閉弁である。従って、それぞれの電磁弁１１の開閉動作により、コンプレッサ９と一方の吸着筒１３との間を連通し且つ一方の吸着筒１３と排気路１５との間を遮断する状態と、コンプレッサ９と一方の吸着筒１３との間を遮断し且つ一方の吸着筒１３と排気路１５との間を連通する状態とに切り替えることができる。
【００４０】
前記一対の吸着筒１３内には、ゼオライト系の吸着剤が充填されており、この吸着剤は、所定圧力に加圧すると空気中の窒素を優先的に吸着し、例えば大気圧まで圧力を下げると吸着した窒素を放出して吸着剤自身の再生を行うという性質を有する。
【００４１】
前記流量設定器３１は、表示装置４３のタッチパネルに操作により、酸素濃縮気体を供給する際の流量を設定できるものである。
具体的には、最大の連続流量の例えば毎分２Ｌまでは、オリフィスの調整により、連続流量（第１流量）を設定できる。また、最大の連続流量を超える流量を設定する場合には、連続流量の供給ができないので、その場合には、呼吸同調による制御に切り替えて、設定した流量（第２流量）の供給を可能な様にする。つまり、設定流量に合わせてオリフィスの調整を行う（例えば最大毎分６Ｌの供給が可能な開度に設定する）とともに、呼吸同調の制御を開始する。
【００４２】
なお、表示装置４３のタッチパネルの操作により、流量の設定や、連続流量での供給と呼吸同調での供給との切り替えが可能となっている。
［１−２．酸素濃縮装置の電気的構成］
次に、酸素濃縮装置１の制御を行う電子制御装置４５等の電気的構成について説明する。
【００４３】
本第１実施形態では、酸素濃縮装置１の内部に、図２に示す様に、周知のＣＰＵ、ＲＯＭ、ＲＡＭ、入出力部、バスライン等を備えたマイクロコンピュータを主要部とする電子制御装置４５が配置されている。
【００４４】
なお、この電子制御装置４５のメモリ４５ａには、後述するように、外部に音声や信号音を出力するための音声や信号音等のデータが記憶されている。
この電子制御装置４５には、酸素センサ３７、圧力センサ３９、バッテリ４９の状態を検出するバッテリ用センサ（例えば電圧計）５１、酸素濃縮装置１内の温度を検出する温度センサ５３、第１〜第６電磁弁１１、２１、３３、表示装置４３、電源スイッチ等の各種のスイッチ（図示せず）が接続されている。
【００４５】
なお、周知のように、圧力センサ３９によって検出された圧力により、患者の吸気の状態か呼気の状態かを判別することができるので、この圧力に基づいて呼吸同調の制御を行うことができる。
【００４６】
この呼吸同調の制御とは、患者がカニューラ４１を通して酸素を吸気した時のわずかの負圧（例えば０．４ｍｍＨ２Ｏ）を検知し、患者の呼吸サイクルにおける吸気の期間にわたり酸素濃縮気体を供給するように、第６電磁弁３３を開閉する制御である。
【００４７】
また、電子制御装置４５には、音楽再生装置４７、音出力部５５が接続されている。
この音楽再生装置４７とは、例えばデジタル音楽プレーヤ等のように、ＭＰ３等の様式の音楽ファイルに基づいて、音楽等の再生（出力）を行うものである。なお、音楽再生装置４７は、音楽等を再生できればよく、例えばＣＤ再生装置（ＣＤプレーヤ）等の音楽媒体を再生する装置を採用することもできる。なお、音楽としては、音声や音も含まれていてもよい。
【００４８】
この音楽再生装置４７の動作は、表示装置４３のタッチパネルの操作により指示することができるようになっている。
また、音出力部５５は、スピーカ５７と、ヘッドフォン５９又はイヤフォン（以下ヘッドフォン５９等と記す）の接続端子（接続ジャック）である端子部６１と、スピーカ５７とヘッドフォン５９等との出力を切り替える切替部６３とを備えている。なお、切替部６３では、周知のように、ヘッドフォン５９等が端子部６１に接続されると、スピーカ５７からの出力が停止される構成となっている。
【００４９】
さらに、音楽再生装置４７と電子制御装置４５とは、音出力部５５（詳しくは切替部６３）に接続されている。
そして、音楽再生装置４７からは、音出力部５５に対して、外部（従って患者等）に、音楽等の音を出力するための第１の音信号（ここではアナログの電気信号である第１の音信号；Ａ信号）が供給される。従って、音出力部５５は、この電気信号によって、スピーカ５７又はヘッドフォン５９等から、音楽等の音を出力することができる。
【００５０】
一方、電子制御装置４５からは、音出力部５５に対して、電子制御装置４５の動作や操作に関する情報を、外部（従って患者等に）に、音声や信号音等の音を出力するための第２の音信号（ここではアナログの電気信号である第２の音信号；Ｂ信号）が供給される。従って、音出力部５５は、この電気信号によって、スピーカ５７又はヘッドフォン５９等から、信号音等の音を出力することができる。
【００５１】
尚、音信号として、音楽や音声を示す信号や、信号音（例えばアラーム音）を含む信号が挙げられる。
［１−３．酸素濃縮装置の制御処理］
次に、電子制御装置４５にて行われる制御処理のうち、酸素濃縮装置１の動作や操作に関して、患者に報知が必要な場合の制御について、図３に基づいて説明する。
【００５２】
まず、図３のフローチャートのステップ（Ｓ）１００にて、酸素濃縮装置１の動作や操作について、患者に報知する情報があるか否かを判定する。ここで肯定判断されるとステップ１１０に進み、一方否定判断されると一旦本処理を終了する。
【００５３】
例えば、酸素濃縮装置１に異常が発生した場合や、表示装置４３のタッチパネルにより特定の操作がなされた場合や、タッチパネルによる操作が適切でない場合などに、その情報が患者等に報知する内容であるか否かを判定する。なお、どのような情報の場合に報知するかや、どのように報知するかは、予め設定されている。
【００５４】
ステップ１１０では、現在、音楽再生装置４７によって、音楽が再生されている状態か否かを判定する。即ち、音楽再生装置４７から、音出力部５５に対して、音楽を出力するための第１の音信号（Ａ信号）が出力されているか否かを判定する。ここで肯定判断されるとステップ１２０に進み、一方否定判断されると一旦本処理を終了する。
【００５５】
ステップ１２０では、音楽の再生を中止する。または、再生中の音楽の音を小さくする（抑制する）。
続くステップ１３０では、音楽の再生を中止または抑制した状態にて、電子制御装置４５から、音出力部５５に対して、酸素濃縮装置１の動作や操作についての情報を、患者に報知する。例えば、電子制御装置４５の異常を示すアラーム音である第２の音信号（Ｂ信号）を出力し、ヘッドフォン５９等を介して患者に知らせるようにする。或いは、音声にて異常の発生や異常の内容を報知してもよい。
［１−４．効果］
（１）本第１実施形態では、酸素濃縮装置１の異常等の装置情報を、例えばアラーム音や音声等の音として外部に出力して患者等に報知する場合には、音楽再生装置４７から供給されている音楽等の音の出力を抑制し（例えば音の出力を中止し）、その状態にて、必要な報知を行う。
【００５６】
そのため、患者等は、酸素濃縮装置１の異常等の装置情報を、音の抑制をしない場合に比べて容易に認識することができる。よって、患者等は、異常等の報知内容に対して、十分な対応を取ることができる。
【００５７】
（２）本第１実施形態では、酸素濃縮装置１は、ヘッドフォン５９等が接続される端子部６１を備えている。
従って、患者は、端子部６１に接続されたヘッドフォン５９等から、音楽再生装置４７から供給された音楽を聞いている際に、同じヘッドフォン５９等から、酸素濃縮装置１の異常等を示すアラーム音などを認識することができる。
【００５８】
（３）本第１実施形態では、装置情報を、音によって報知する場合には、信号音であるアラーム音で報知することができる。或いは、音声で、異常や動作や操作の内容などを報知することができる。
［１−５．応用例］
（１）前記音楽等の第１の音信号を供給する装置としては、音楽再生装置４７以外に、酸素濃縮装置１に配置された、ラジオや、インターネットを介した通信が可能な通信端末が挙げられる。
【００５９】
例えばラジオや通信端末の場合、音楽等を患者に供給している際に、酸素濃縮装置１の異常等の報知を行うときには、音楽等の出力を抑制して、異常等の報知を行うことができる。
【００６０】
（２）前記装置情報としては、酸素濃縮装置１の異常に関する情報、酸素濃縮装置１の動作状態に関する情報、酸素濃縮装置１の操作状態に関する情報が挙げられる。
酸素濃縮装置１の異常に関する情報としては、例えば、酸素濃縮気体における酸素濃度の異常や圧力の異常、バッテリ４９の異常（電圧等の異常）、酸素濃縮装置１の温度の異常が挙げられる。
【００６１】
また、酸素濃縮装置１の動作状態に関する情報としては、例えば、酸素濃縮気体の流量、稼働時間などの情報が挙げられる。
さらに、酸素濃縮装置１の操作状態に関する情報としては、例えば、表示装置４３のタッチパネルや各種のスイッチ等が操作された場合に、操作されたこと自体を（信号音等で）報知する情報や、どのようなタッチパネルのボタンやスイッチが操作されたことを（音声等で）報知する情報が挙げられる。
【００６２】
（３）前記装置情報としては、酸素濃縮装置１の使用者（患者等）に対する警告又はアドバイスが挙げられる。
この警告としては、例えば、圧力センサ３９によって検出された呼吸数が異常であることを報知する警告や、適切でない操作がされたことを報知する警告が挙げられる。
【００６３】
また、アドバイスとしては、例えば、上述した異常の報知や前記警告に対して、どのような対応が可能かや、どのような対応が好ましいかを知らせるアドバイスが挙げられる。
［１−６．文言の対応関係］
本第１実施形態の酸素濃縮装置１、音楽再生装置４７、電子制御装置４５は、それぞれ、本発明の、酸素濃縮装置、音供給部、情報供給部に該当する。
［２．第２実施形態］
次に、第２実施形態について説明するが、第１実施形態と同様な内容の説明は省略又は簡略化する。なお、第１実施形態と同様な構成については、同様な番号を使用する。
【００６４】
本第２実施形態では、音楽再生装置は酸素濃縮装置内に収容されておらず、例えば多機能携帯情報端末であるスマートフォンを用いて、同様な異常発生時等の制御を行うものである。
［２ー１．酸素濃縮装置の構成］
まず、本第２実施形態の酸素濃縮装置の構成について説明する。
【００６５】
図４に示すように、本第２実施形態の酸素濃縮装置７１は、本体ケース３に、第１実施形態と同様に、電子制御装置４５、第１〜第６電磁弁１１、２１、２３、表示装置４３、酸素センサ３７、圧力センサ３９、バッテリ用センサ５１、温度センサ５５等を備えている。
【００６６】
また、酸素濃縮装置７１には、音出力部５５としてスピーカ５７が接続してある。
特に、本第２実施形態では、電子制御装置４５には、スマートフォン７３との通信が可能な接続部７５として、スマートフォン７３と有線（例えばＵＳＢ）にて接続が可能な接続端子７７と、スマートフォン７３と無線にて通信が可能な無線通信装置である通信部７９とが接続されている。
【００６７】
なお、スマートフォン７３とは、インターネット等との接続（即ち通信）が可能な周知の多機能携帯情報端末である。また、電子制御装置４５とスマートフォン７３との通信には、例えば周知のＢｌｕｅｔｏｏｔｈ（登録商標）等を用いることができる。
【００６８】
本第２実施形態では、スマートフォン７３には、電子制御装置４５との通信によって、スマートフォン７３の動作の制御が可能なアプリケーションプログラム（いわゆるアプリ）が格納されている。
【００６９】
このアプリによって、スマートフォン７３から電子制御装置４５に対して、現在、音楽等の再生中か（又は外部からインターネット等を介して受信した音楽等を出力中か）どうかの信号が送信される。また、電子制御装置４５からスマートフォン７３に対して、酸素濃縮装置７１の異常等の情報が送信された場合には、前記アプリによって、再生中などの音楽等の出力の停止又は出力の抑制の制御がなされるとともに、スマートフォン７３を制御して、酸素濃縮装置７１の異常等の情報を報知する。
【００７０】
これにより、スマートフォン７３から患者に、例えばスマートフォン７３に接続されたヘッドフォン５９等を介して、例えばアラーム音や音声等による酸素濃縮装置７１の異常などを報知することが可能となっている。
［２ー２．酸素濃縮装置の制御］
次に、本第２実施形態の酸素濃縮装置７１にて行われる制御について説明する。
【００７１】
まず、図５のフローチャートのステップ２００にて、酸素濃縮装置７１の動作や操作について、患者に報知する情報があるか否かを判定する。ここで肯定判断されるとステップ２１０に進み、一方否定判断されると一旦本処理を終了する。
【００７２】
ステップ２１０では、現在、スマートフォン７３によって、音楽等が再生されている状態か否かを判定する。ここで肯定判断されるとステップ２２０に進み、一方否定判断されると一旦本処理を終了する。
【００７３】
ステップ２２０では、電子制御装置４５からスマートフォン７３に対して、音楽等の再生を中止するための信号を送信する。または、再生中の音楽等の音を小さくする（抑制する）ための信号を送信する。
【００７４】
続くステップ２３０では、スマートフォン７３に音楽等の再生を中止または抑制した状態にて、電子制御装置４５からスマートフォン７３に、酸素濃縮装置７１の動作や操作についての情報を送信し、スマートフォン７３から患者に報知する。例えば、電子制御装置４５の異常を示すアラーム音をスマートフォン７３から出力し、ヘッドフォン５９等を介して患者に知らせるようにする。或いは、音声にて異常の発生や異常の内容を報知してもよい。
［２ー３．効果］
本第２実施形態では、第１実施形態と同様な効果を奏する。また、本第２実施形態では、患者が使い慣れたスマートフォン７３を介して、異常等を報知するので、使い勝手が良いという利点がある。
【００７５】
なお、本第２実施形態では、スマートフォン７３を使用したが、周知の各種の音楽再生装置（詳しくは外部との通信が可能な装置）を使用することができる。この場合は、例えばＢｌｕｅｔｏｏｔｈ（登録商標）を用いて、必要な情報の送受信や、音楽再生装置の制御を行うことができる。
【００７６】
また、スマートフォン７３を振動させている場合に、酸素濃縮装置７１の異常等の報知を行う場合には、前記振動を中止又は抑制してもよい。
［２−４．文言の対応関係］
本第２実施形態の酸素濃縮装置７１、スマートフォン７３、接続部７５、電子制御装置４５は、それぞれ、本発明の、酸素濃縮装置、音供給部、接続部、情報供給部に該当する。
［３．他の実施形態］
本発明は前記実施形態になんら限定されるものではなく、本発明を逸脱しない範囲において種々の態様で実施しうることはいうまでもない。
【００７７】
（１）例えば、患者の年齢に応じて、出力する音声や音の周波数を変更してよい。例えば高齢者は高周波の音が聞き取りにくい傾向にあるので、患者が所定以上の年齢の場合には（それを下回る年齢の場合に比べて）、出力する音声や音の周波数を低くしてもよい。
【００７８】
なお、患者の年齢は、初期設定の際に、酸素濃縮装置に入力するようにすればよい。
（２）患者が車の運転をしている場合に、酸素濃縮装置の操作がなされた場合には、運転中の操作が危険であることや、適切でない操作であることを報知する信号音等を出力するようにしてもよい。
【００７９】
また、患者が車の運転をしている場合に、酸素濃縮装置の操作がなされた場合には、その操作を無効するようにしてもよい。
なお、運転中か否かは、酸素濃縮装置と車両の電子制御装置とが、例えばＢｌｕｅｔｏｏｔｈ（登録商標）等によって通信することにより、酸素濃縮装置側にて把握することができる。
【００８０】
（３）酸素濃縮装置や音楽再生装置の動作を指示する場合には、酸素濃縮装置に設けられたタッチパネルや各種のスイッチ以外に、リモコンを用いてよい。
（４）なお、上記実施形態における１つの構成要素が有する機能を複数の構成要素に分担させたり、複数の構成要素が有する機能を１つの構成要素に発揮させたりしてもよい。また、上記実施形態の構成の一部を、省略してもよい。また、上記実施形態の構成の少なくとも一部を、他の実施形態の構成に対して付加、置換等してもよい。なお、特許請求の範囲に記載の文言から特定される技術思想に含まれるあらゆる態様が本開示の実施形態である。
【符号の説明】
【００８１】
１、７１…酸素濃縮装置
４５…電子制御装置
４７…音楽再生装置
５９…ヘッドフォン
６１…端子部
７３…スマートフォン
７５…接続部
【図１】
2018175714.tif 000003
【図２】
2018175714.tif 000004
【図３】
2018175714.tif 000005
【図４】
2018175714.tif 000006
【図５】
2018175714.tif 000007